(57)【要約】【課題】貯蔵庫本体内に対する穀物袋の出し入れを容易にする。【解決手段】穀物貯蔵庫１０では、開閉扉２４が一時的に開放されて、保冷箱１８内に穀物袋２８が貯蔵される。さらに、クーラーユニット３６によって保冷箱１８内を冷却して、穀物袋２８内の穀物を冷却可能にされている。ここで、クーラーユニット３６が保冷箱１８の下側に設けられている。このため、保冷箱１８内の下面を高く配置でき、保冷箱１８内の下部における穀物袋２８の出し入れでも、作業者が腰をかがめて行う必要を少なくできて、保冷箱１８内に対する穀物袋２８の出し入れを容易にできる。【選択図】図１
2009022212.tif 000002
【特許請求の範囲】
【請求項１】
前面に開口が設けられると共に、前記開口を開閉可能にされた開閉扉が設けられ、穀物が収容された穀物袋を前記開口を介して内部に貯蔵可能にされた貯蔵庫本体と、
前記貯蔵庫本体の下側に設けられ、前記貯蔵庫本体内へ冷気を送風して前記貯蔵庫本体内を冷却する冷却手段と、
を備えた穀物貯蔵庫。
【請求項２】
前記貯蔵庫本体内の前後方向に前記穀物袋の長手方向が沿った状態で前記貯蔵庫本体内に前記穀物袋を貯蔵不能にされると共に、前記貯蔵庫本体内の前後方向に前記穀物袋の幅方向が沿った状態で前記貯蔵庫本体内に前記穀物袋を貯蔵可能にされた、ことを特徴とする請求項１記載の穀物貯蔵庫。
【請求項３】
前記貯蔵庫本体の上壁に開閉可能に設けられ、前記貯蔵庫本体の内部と外部とを連通可能にされた連通孔を備えた、ことを特徴とする請求項１又は請求項２記載の穀物貯蔵庫。
【発明の詳細な説明】
【技術分野】
【０００１】
本発明は、穀物が収容された穀物袋を貯蔵可能にされた穀物貯蔵庫に関する。
【背景技術】
【０００２】
穀物貯蔵庫としては、玄米が収容された紙袋を貯蔵庫内に貯蔵可能にされたものがある（例えば特許文献１参照）。
【０００３】
しかしながら、この穀物貯蔵庫では、貯蔵庫の上側に冷却機が設けられている。このため、貯蔵庫内の下面が低くなり、特に貯蔵庫内の下部における紙袋の出し入れは、作業者が腰をかがめて行う必要があって、困難になる可能性がある。
【特許文献１】特開２０００−１０６７４５公報
【発明の開示】
【発明が解決しようとする課題】
【０００４】
本発明は、上記事実を考慮し、貯蔵庫本体内に対する穀物袋の出し入れを容易にできる穀物貯蔵庫を得ることが目的である。
【課題を解決するための手段】
【０００５】
請求項１に記載の穀物貯蔵庫は、前面に開口が設けられると共に、前記開口を開閉可能にされた開閉扉が設けられ、穀物が収容された穀物袋を前記開口を介して内部に貯蔵可能にされた貯蔵庫本体と、前記貯蔵庫本体の下側に設けられ、前記貯蔵庫本体内へ冷気を送風して前記貯蔵庫本体内を冷却する冷却手段と、を備えている。
【０００６】
請求項２に記載の穀物貯蔵庫は、請求項１に記載の穀物貯蔵庫において、前記貯蔵庫本体内の前後方向に前記穀物袋の長手方向が沿った状態で前記貯蔵庫本体内に前記穀物袋を貯蔵不能にされると共に、前記貯蔵庫本体内の前後方向に前記穀物袋の幅方向が沿った状態で前記貯蔵庫本体内に前記穀物袋を貯蔵可能にされた、ことを特徴としている。
【０００７】
請求項３に記載の穀物貯蔵庫は、請求項１又は請求項２に記載の穀物貯蔵庫において、前記貯蔵庫本体の上壁に開閉可能に設けられ、前記貯蔵庫本体の内部と外部とを連通可能にされた連通孔を備えた、ことを特徴としている。
【発明の効果】
【０００８】
請求項１に記載の穀物貯蔵庫では、貯蔵庫本体の前面に設けられた開口を開閉扉が開閉可能にされており、穀物が収容された穀物袋を貯蔵庫本体の開口を介して貯蔵庫本体内に貯蔵可能にされている。また、冷却手段が貯蔵庫本体内へ冷気を送風して貯蔵庫本体内を冷却することで、穀物袋に収容された穀物が冷却される。
【０００９】
ここで、冷却手段が貯蔵庫本体の下側に設けられている。このため、貯蔵庫本体内の下面を高く配置することができ、貯蔵庫本体内の下部における穀物袋の出し入れでも、作業者が腰をかがめて行う必要を少なくすることができる。これにより、貯蔵庫本体内に対する穀物袋の出し入れを容易にすることができる。
【００１０】
請求項２に記載の穀物貯蔵庫では、貯蔵庫本体内の前後方向に穀物袋の長手方向が沿った状態で貯蔵庫本体内に穀物袋を貯蔵不能にされると共に、貯蔵庫本体内の前後方向に穀物袋の幅方向が沿った状態で貯蔵庫本体内に穀物袋を貯蔵可能にされている。これにより、貯蔵庫本体内の前後方向に穀物袋の長手方向が沿った状態で貯蔵庫本体内に穀物袋を貯蔵可能にされた場合に比し、貯蔵庫本体内の前後方向寸法が小さくされているため、貯蔵庫本体内の上部における穀物袋の出し入れも容易になり、貯蔵庫本体内に対する穀物袋の出し入れを一層容易にすることができる。
【００１１】
請求項３に記載の穀物貯蔵庫では、貯蔵庫本体の上壁に開閉可能に設けられた連通孔が、貯蔵庫本体の内部と外部とを連通可能にされている。このため、貯蔵庫本体の上側に他の貯蔵庫本体を設置して連通孔を介して各貯蔵庫本体の内部を連通することで、上側の貯蔵庫本体内へも冷気を送風することができる。これにより、貯蔵庫本体の上側のスペースを有効利用して、安価に穀物袋の貯蔵容量を増やすことができる。
【発明を実施するための最良の形態】
【００１２】
［第１の実施の形態］
図１には、本発明の第１の実施の形態に係る穀物貯蔵庫１０が正面図にて示されており、図２には、穀物貯蔵庫１０が右方から見た断面図にて示されている。なお、図面では、穀物貯蔵庫１０の前方を矢印ＦＲで示し、穀物貯蔵庫１０の右方を矢印ＲＨで示し、穀物貯蔵庫１０の上方を矢印ＵＰで示している。
【００１３】
本実施の形態に係る穀物貯蔵庫１０では、下部において、直方体形箱状の支持枠１２が設けられており、支持枠１２の上面は開口されている。
【００１４】
支持枠１２の下面には、各角部において、支持手段としての脚状のアジャスタ１４（支持脚）が固定されており、アジャスタ１４は、穀物貯蔵庫１０を設置する設置面（図示省略）に対して支持枠１２（穀物貯蔵庫１０）を支持している。アジャスタ１４は、操作可能にされており、アジャスタ１４が操作されることで、アジャスタ１４の長さが調整されて、アジャスタ１４による支持枠１２（穀物貯蔵庫１０）の設置面に対する支持高さを調整可能にされている。
【００１５】
支持枠１２の下面には、各角部近傍において、移動手段としてのキャスタ１６が回転可能に取り付けられており、キャスタ１６は、アジャスタ１４が操作されてアジャスタ１４による支持枠１２（穀物貯蔵庫１０）の支持が解除された際に、支持枠１２（穀物貯蔵庫１０）を設置面に対して支持可能にされている。これにより、穀物貯蔵庫１０は、アジャスタ１４による支持が解除された際に、キャスタ１６を回転させつつ、移動可能にされている。
【００１６】
支持枠１２の上側には、貯蔵庫本体としての直方体形箱状の保冷箱１８が固定されている。保冷箱１８には、本体部としての直方体形箱状の箱本体２０が設けられており、箱本体２０の周壁は、断熱性を有している。箱本体２０の前面は開放されており、これにより、箱本体２０の前面には、矩形状の開口２２が形成されている。箱本体２０の前側には、扉部としての矩形板状の開閉扉２４が一対設けられており、開閉扉２４は、断熱性を有すると共に、箱本体２０の開口２２の右側部分と左側部分とに配置されて開口２２を閉鎖している。右側の開閉扉２４は右側端において箱本体２０前端の右側端に回動可能に支持されると共に、左側の開閉扉２４は左側端において箱本体２０前端の左側端に回動可能に支持されており、開閉扉２４が回動されることで、開閉扉２４が開閉されて、箱本体２０の開口２２を開閉可能にされている。
【００１７】
保冷箱１８内（箱本体２０内）の下面には、板状の載置台２６（例えばスノコ）が載置されており、保冷箱１８内には、載置台２６上において、穀物（例えば３０Ｋｇの玄米）が収容された穀物袋２８を貯蔵可能にされている。
【００１８】
保冷箱１８内の前後方向寸法は、穀物袋２８の長手方向長さに比し小さくされると共に、穀物袋２８の幅方向長さ以上（穀物袋２８の幅方向長さに比し大きいのが好ましい）にされており、保冷箱１８内の前後方向に穀物袋２８の長手方向が沿った状態で保冷箱１８内に穀物袋２８を貯蔵不能にされると共に、保冷箱１８内の前後方向に穀物袋２８の幅方向が沿った状態で保冷箱１８内に前後方向へ１つの穀物袋２８を貯蔵可能にされている。
【００１９】
保冷箱１８内の左右方向寸法は、所定数（本実施の形態では２つ）の穀物袋２８の長手方向長さ以上（所定数の穀物袋２８の長手方向長さに比し大きいのが好ましい）にされており、保冷箱１８内の左右方向に穀物袋２８の長手方向が沿った状態で保冷箱１８内に左右方向へ所定数の穀物袋２８を貯蔵可能にされている。
【００２０】
保冷箱１８内の上下方向寸法は、所定数（本実施の形態では５つ）の穀物袋２８の厚さ以上（所定数の穀物袋２８の厚さに比し大きいのが好ましい）にされており、保冷箱１８内の上下方向に穀物袋２８の厚さ方向が沿った状態で保冷箱１８内に上下方向へ所定数の穀物袋２８を貯蔵（積載）可能にされている。
【００２１】
保冷箱１８の下壁（箱本体２０の下壁）には、後側端において、送冷口としての矩形柱状の送冷孔３０が貫通形成されると共に、前側端において、吸冷口としての矩形柱状の吸冷孔３２が貫通形成されている。保冷箱１８内の後面には、案内手段としての矩形管状の冷気ダクト３４が固定されており、冷気ダクト３４は、送冷孔３０に連通されると共に、保冷箱１８内の上面近傍まで上下方向へ延伸されている。
【００２２】
保冷箱１８の下側（箱本体２０の下側）には、冷却手段としての矩形柱状のクーラーユニット３６（冷却ユニット）が設けられており、クーラーユニット３６は支持枠１２内に配置されている。クーラーユニット３６は、送冷孔３０及び吸冷孔３２に連通されており、クーラーユニット３６が駆動されることで、冷気が、クーラーユニット３６から送冷孔３０及び冷気ダクト３４を介して保冷箱１８内の上部に送風されると共に、保冷箱１８内を降下されて吸冷孔３２を介してクーラーユニット３６へ吸引される。これにより、保冷箱１８内を冷気が循環されて、保冷箱１８内が冷却されることで、保冷箱１８内に貯蔵された穀物袋２８内の穀物を冷却可能にされている。また、クーラーユニット３６は、所謂ノンドレン静音設計によるものにされている。
【００２３】
保冷箱１８の上壁（箱本体２０の上壁）には、後側端において、挿通孔（予備送冷口）としての矩形柱状の予備送冷孔３８が貫通形成されると共に、前側端において、挿通孔（予備吸冷口）としての矩形柱状の予備吸冷孔４０が貫通形成されている。予備送冷孔３８及び予備吸冷孔４０は、閉塞手段としての閉塞蓋４２によって閉塞されており、予備送冷孔３８及び予備吸冷孔４０から閉塞蓋４２が離脱されることで、予備送冷孔３８及び予備吸冷孔４０を開放可能にされている。また、閉塞蓋４２は、断熱性を有している。
【００２４】
次に、本実施の形態の作用を説明する。
【００２５】
以上の構成の穀物貯蔵庫１０では、保冷箱１８において、開閉扉２４が一時的に開放されて箱本体２０の開口２２が一時的に開放されることで、保冷箱１８に穀物袋２８を出し入れ可能にされている。さらに、クーラーユニット３６によって保冷箱１８内を冷気が循環されて保冷箱１８内が冷却されることで、保冷箱１８内に貯蔵された穀物袋２８内の穀物を冷却可能にされている。
【００２６】
ここで、クーラーユニット３６が保冷箱１８の下側に設けられている。このため、保冷箱１８の下壁を高く配置することができて、保冷箱１８内の下面を高く配置することができ、保冷箱１８内の下部における穀物袋２８の出し入れでも、作業者が腰をかがめて行う必要を少なくすることができる。これにより、保冷箱１８内に対する穀物袋２８の出し入れを容易にすることができる。
【００２７】
さらに、保冷箱１８内の前後方向に穀物袋２８の長手方向が沿った状態で保冷箱１８内に穀物袋２８を貯蔵不能にされると共に、保冷箱１８内の前後方向に穀物袋２８の幅方向が沿った状態で保冷箱１８内に穀物袋２８を貯蔵可能にされている。これにより、保冷箱１８内の前後方向に穀物袋２８の長手方向が沿った状態で保冷箱１８内に穀物袋２８を貯蔵可能にされた場合に比し、保冷箱１８内の前後方向寸法が小さくされているため、保冷箱１８内の上部かつ後部に作業者の手が容易に到達可能になって、保冷箱１８内の上部における穀物袋２８の出し入れも容易になり（保冷箱１８内の上部における穀物袋２８の扱い勝手も良くなり）、保冷箱１８内に対する穀物袋２８の出し入れを一層容易にすることができる。
【００２８】
［第２の実施の形態］
図３には、本発明の第２の実施の形態に係る穀物貯蔵庫５０が右方から見た断面図にて示されている。
【００２９】
本実施の形態に係る穀物貯蔵庫５０は、上記第１の実施の形態と、ほぼ同様の構成であるが、以下の点で異なる。
【００３０】
本実施の形態に係る穀物貯蔵庫５０は、保冷箱１８の上側に他の所定数（例えば１つ）の保冷箱１８が重設（上下方向へ設置）されており、最下の保冷箱１８以外の保冷箱１８内にも穀物袋２８を貯蔵可能にされている。なお、最下の保冷箱１８以外の保冷箱１８の上下方向長さは、最下の保冷箱１８の上下方向長さと異なってもよい。
【００３１】
最上の保冷箱１８以外の保冷箱１８においては、上壁の予備送冷孔３８及び予備吸冷孔４０から閉塞蓋４２が離脱されることで、予備送冷孔３８及び予備吸冷孔４０が開放されている。これにより、下側の保冷箱１８の上壁の予備送冷孔３８及び予備吸冷孔４０がそれぞれ上側の保冷箱１８の下壁の送冷孔３０及び吸冷孔３２に連通されて、下側の保冷箱１８内と上側の保冷箱１８内とが予備送冷孔３８及び送冷孔３０と予備吸冷孔４０及び吸冷孔３２とを介して連通されている。このため、最下の保冷箱１８以外の保冷箱１８においても、クーラーユニット３６からの冷気が、下側の保冷箱１８から予備送冷孔３８、送冷孔３０及び冷気ダクト３４を介して保冷箱１８内の上部に送風されると共に、保冷箱１８内を降下されて吸冷孔３２及び予備吸冷孔４０を介して下側の保冷箱１８へ送風されることで、保冷箱１８内を冷気が循環されて、保冷箱１８内が冷却され、保冷箱１８内に貯蔵された穀物袋２８内の穀物を冷却可能にされている。
【００３２】
ここで、本実施の形態でも、上記第１の実施の形態と同様の作用及び効果を奏することができる。
【００３３】
さらに、最下の保冷箱１８の上側に他の所定数の保冷箱１８が重設されて、各保冷箱１８内が予備送冷孔３８及び送冷孔３０と予備吸冷孔４０及び吸冷孔３２とを介して連通されることで、各保冷箱１８内を冷気が循環されて、各保冷箱１８内が冷却され、各保冷箱１８内に貯蔵された穀物袋２８内の穀物を冷却可能にされている。これにより、最下の保冷箱１８の上側のスペースを有効利用して、クーラーユニット３６を増やすことなく安価に穀物袋２８の貯蔵容量を増やすことができる。
【００３４】
なお、上記第１の実施の形態及び第２の実施の形態では、保冷箱１８の上壁に一対の連通孔（予備送冷孔３８及び予備吸冷孔４０）を貫通形成した構成としたが、保冷箱１８の上壁に１つ又は３つ以上の連通孔を貫通形成した構成としてもよい。この場合、上記第２の実施の形態の如く保冷箱１８の上側に他の所定数の保冷箱１８を重設する際には、最下の保冷箱１８以外の保冷箱１８の下壁には、送冷孔３０及び吸冷孔３２に代えて、下側の保冷箱１８の上壁における連通孔に連通可能にされた１つ又は３つ以上の貫通孔が貫通形成される。これにより、下側の保冷箱１８内と上側の保冷箱１８内とが連通孔及び貫通孔を介して連通されて、各保冷箱１８内へ冷気を送風することができる。
【図面の簡単な説明】
【００３５】
【図１】本発明の第１の実施の形態に係る穀物貯蔵庫を示す正面図である。
【図２】本発明の第１の実施の形態に係る穀物貯蔵庫を示す右方から見た断面図である。
【図３】本発明の第２の実施の形態に係る穀物貯蔵庫を示す右方から見た断面図である。
【符号の説明】
【００３６】
１０    穀物貯蔵庫
２０    保冷箱（貯蔵庫本体）
２２    開口
２４    開閉扉
２８    穀物袋
３６    クーラーユニット（冷却手段）
３８    予備送冷孔（連通孔）
４０    予備吸冷孔（連通孔）
５０    穀物貯蔵庫
【図１】
2009022212.tif 000003
【図２】
2009022212.tif 000004
【図３】
2009022212.tif 000005